(57)【要約】【課題】  ビデオカメラ、スチルカメラ、写メール等のカメラを手放し状態で撮影でき、ビデオ撮影と同時にカメラ撮影することもできるうえ、従来のように三脚設置場所確保の必要がないカメラ固定装置を提供する。【解決手段】  使用者の首の周囲に掛けるＵ字型の首掛けバーと、前記首掛けバーとジョイント部を介して旋回自在に連結された固定バーと、前記固定バーに設けられた台座であってカメラを装着する固定台座とを有することを特徴とするカメラ固定装置。【選択図】  図２
2008122436.tif 000002
【特許請求の範囲】
【請求項１】
使用者の首の周囲に掛けるＵ字型の首掛けバーと、
前記首掛けバーとジョイント部を介して旋回自在に連結された固定バーと、
前記固定バーに設けられた台座であってカメラを装着する固定台座とを有することを特徴とするカメラ固定装置。
【請求項２】
前記ジョイント部が摺動部を有し、該摺動部に凹凸を設けることにより前記首掛けバーと固定バーとを任意の角度で固定することを特徴とする請求項１に記載のカメラ固定装置。
【請求項３】
前記カメラを装着する固定台座が、前記固定バーに対して旋回自在に取り付けられていることを特徴とする請求項１または請求項２に記載のカメラ固定装置。
【請求項４】
前記首掛けバーおよび固定バーは、凹凸部を有する連結部材と該連結部材を貫通するワイヤからなることを特徴とする請求項１乃至請求項３のいずれか一項に記載のカメラ固定装置。
【請求項５】
前記首掛けバーおよび固定バーは、それぞれ一対の板バネからなることを特徴とする請求項１乃至請求項３のいずれか一項に記載のカメラ固定装置。
【発明の詳細な説明】
【技術分野】
【０００１】
本発明は、撮影する際にビデオカメラ、スチルカメラ、写メール等を固定するカメラ固定装置に関するものである。
【背景技術】
【０００２】
運動会などでビデオ撮影する場合、撮影者は手でビデオカメラを持ち、撮影対象者を常にビデオカメラを覗きながら追う必要があるため、ビデオを取りながら直接応援することができないうえ、ビデオカメラを常に手に持って撮影し続けることは、肉体的負担が大きいという問題点があった。また、ビデオ撮影している間は、同時にカメラ撮影ができなかった。
【０００３】
また、ビデオカメラを三脚に設置しようとした場合、応援席最前列に設置しなければならず、三脚の設置場所の確保が難しいという問題点があった。
【０００４】
カメラ固定装置に関しては、従来から種々の提案がなされており、例えば下記特許文献１には、首からつるすタイプのストラップに、ひじを固定するためのパッドを取り付けビデオカメラを持つ手がブレないようにするビデオカメラ用手ブレ防止用ストラップが記載されている。
【０００５】
しかし、特許文献１のビデオカメラ用手ブレ防止用ストラップは、手ブレを防止することはできるが、手放し状態でビデオ撮影をすることができなかった。
【０００６】
また、下記特許文献２には、カメラ本体を使用者がストラップにより首から吊るしたときにカメラ本体と使用者との間でカメラ本体を固定する固定手段を備えることにより、使用しているときにカメラ本体が振れないようにしたカメラ振れ止め具が記載されている。
【０００７】
しかし、特許文献２のカメラ振れ止め具は、使用しているときにカメラ本体が振れないようにすることはできるが、カメラを被写体に向けて固定することができなかった。
【特許文献１】特開２００５−３２１７４１号公報
【特許文献２】特開２０００−２０６６０９号公報
【発明の開示】
【発明が解決しようとする課題】
【０００８】
本発明は、前述のような従来技術の問題点を解決し、ビデオカメラ、スチルカメラ、写メール等のカメラを手放し状態で撮影でき、ビデオ撮影と同時にカメラ撮影することもできるうえ、従来のように三脚設置場所確保の必要がないカメラ固定装置を提供することを課題とする。
【課題を解決するための手段】
【０００９】
本考案は、首掛けバーとビデオカメラを取り付ける固定バーのジョイント部を可動式にすることにより、手放し状態で撮影でき、ビデオ撮影と同時にカメラ撮影することもできるうえ、三脚が必要ないように首掛け式にすることにより三脚設置場所の確保の必要がないカメラ固定装置を提供するものであり、その要旨とするところは特許請求の範囲に記載した通りの下記内容である。
（１）使用者の首の周囲に掛けるＵ字型の首掛けバーと、前記首掛けバーとジョイント部を介して旋回自在に連結された固定バーと、前記固定バーに設けられた台座であってカメラを装着する固定台座とを有することを特徴とするカメラ固定装置。
（２）前記ジョイント部が摺動部を有し、該摺動部に凹凸を設けることにより前記首掛けバーと固定バーとを任意の角度で固定することを特徴とする（１）に記載のカメラ固定装置。
（３）前記カメラを装着する固定台座が、前記固定バーに対して旋回自在に取り付けられていることを特徴とする（１）または（２）に記載のカメラ固定装置。
（４）前記首掛けバーおよび固定バーは、凹凸部を有する連結部材と該連結部材を貫通するワイヤからなることを特徴とする（１）乃至（３）のいずれか一項に記載のカメラ固定装置。
（５）前記首掛けバーおよび固定バーは、それぞれ一対の板バネからなることを特徴とする（１）乃至（３）のいずれか一項に記載のカメラ固定装置。
＜作用＞
（１）の発明によれば、首掛けバーとカメラを取り付ける固定バーのジョイント部を可動式にすることにより、ビデオカメラ、スチルカメラ、写メール等のカメラを手放し状態で撮影でき、ビデオ撮影と同時にカメラ撮影することもできる。
（２）の発明によれば、ジョイント部が凹凸を設けられた摺動部を有するので、凹凸による摩擦力によって前記首掛けバーと固定バーとを任意の角度で固定することができる。
（３）の発明によれば、カメラを装着する固定台座が、固定バーに対して旋回自在に取り付けられているので、カメラの向きを被写体の方向に設定し易くすることができる。
（４）の発明によれば、首掛けバーおよび固定バーが、凹凸部を有する連結部材と該連結部材を貫通するワイヤからなるので、使用するときはワイヤに張力をかけて凹凸部を係合させることにより固定形状にすることができる一方で、使用しないときはワイヤを緩めて凹凸部の間隔を広げることによりネックレス状にすることができるので邪魔にならない。
（５）の発明によれば、掛けバーおよび固定バーが、それぞれ一対の板バネからなるので、板バネを開くことにより首掛けバーおよび固定バーを環状に開くことができるうえ、板バネを閉じることにより、首掛けバーおよび固定バーを棒状にすることができるので、棒上に装着されたカメラを用いて高い位置からの撮影ができる。
【発明の効果】
【００１０】
本発明のカメラ固定装置によれば、首掛けバーとビデオカメラを取り付ける固定バーのジョイント部を可動式なので、ビデオカメラ、スチルカメラ、写メール等のカメラを手放し状態で撮影でき、ビデオ撮影と同時にカメラ撮影することもできるうえ、従来のように三脚設置場所の確保の必要がないカメラ固定装置を提供することができるなど、産業上有用な著しい効果を奏する。
【発明を実施するための最良の形態】
【００１１】
本発明を実施するための最良の形態について図１〜図１２を用いて詳細に説明する。
＜第１の実施形態＞
図１〜図５は、本発明のカメラ固定装置における第１の実施形態を例示する図であり、図１は正面図、図２は側面図、図３はジョイント部の詳細図、図４および図５は使用状態を例示する図である。
【００１２】
図１〜図５において、１は首掛けバー、２はスポンジカバー、３は固定バー、４は蛇腹プラスチックカバー、５は固定台座、６はカメラ固定ボルト、７はジョイント部を示す。
【００１３】
図１および図２に示すように、本発明のカメラ固定装置は、使用者の首の周囲に掛けるＵ字型の首掛けバー１と、前記首掛けバー１とジョイント部７を介して旋回自在に連結された固定バー３と、前記固定バー３に設けられた台座であってカメラを装着する固定台座５とを有することを特徴とする。
【００１４】
また、図３に示すように、首掛けバー１と固定バー３のジョイント部７は、レバー付ネジで取り付けることにより、レバーにより固定バー３を上下に旋回することができる
首掛けバー１とカメラを取り付ける固定バー３のジョイント部７を可動式にし、図４に示すように固定バー３を首掛けバー１に対して上方に旋回させ、使用者の前方に張り出した状態にすることにより、ビデオカメラ、スチルカメラ、写メール等のカメラの方向を撮影者の目線に設定して固定することができるので、一度被写体を捉えてしまえば手放し状態で撮影でき、ビデオ撮影と同時にカメラ撮影することもできる。
【００１５】
また、首を掛けバー１には、カメラを取り付けたときの首への負担を軽減するために、全体をスポンジカバー２で被うことが好ましい。カメラを固定する固定バー３は図１に示すようにＵ字形にすることによって操作の邪魔にならないようにし、蛇腹プラスチックカバー４で覆うことにより使用者の怪我を防止することができる。
【００１６】
図４に示すように、本実施形態のカメラ固定装置を使用することにより、ビデオカメラ、スチルカメラ、写メール等のカメラの方向を被写体の向きに設定して固定することができるので、手放し状態で撮影でき、ビデオ撮影と同時にカメラ撮影することもできる。
【００１７】
また、デジタル化によりビデオカメラ等が小型軽量になったので、図５（ｂ）に示すように、ジョイント部７にレバー付ネジを用いる代わりに凹凸を設けた摺動部を設けることにより、凹凸による摩擦力によって首掛けバー１と固定バー３とを任意の角度で固定することができる。
【００１８】
なお、図５（a）に示すように、カメラの固定部分は、カメラの三脚に用いられ雲台等の可動ジョイントを用いることによってカメラの向きを自由に変えることができる。
【００１９】
なお、使用しないときは前述の固定バー３を旋回させて首掛けバー１と一体化することにより、収納スペースをコンパクトにすることができる。
＜第２の実施形態＞
図６は、本発明のカメラ固定装置における第２の実施形態に用いる固定台座を例示する図であり、図６（a）は固定台座の拡大断面図、図６（b）は固定台座の斜視図、図６（ｃ）は固定台座を取り付る固定バーの斜視図である。
【００２０】
図６に示すように、カメラを装着する固定台座５を、固定バー３に対して旋回自在に取り付けることにより、カメラの向きを被写体の方向に設定し易くすることができる。
【００２１】
また、図６（a）に示すように、固定台座５と固定バー３との接触面に凹凸を設けた摺動部を設けることにより、凹凸による摩擦力によって固定台座５と固定バー３とを任意の角度で固定することができる。
＜第３の実施形態＞
図７および図８は、本発明のカメラ固定装置における第３の実施形態を例示する図であり、図７は首掛けバーおよび固定バー、図８は使用状態および不使用状態を示す図である。
【００２２】
図７に示すように、本実施形態における首掛けバーおよび固定バーは、凹凸部を有する連結部材８と該連結部材８を貫通するワイヤ１０からなり、使用するときはワイヤ締め付け部９によりワイヤ１０に張力をかけて凹凸部を係合させることにより図８（a）に示すように固定形状にすることができる一方で、使用しないときはワイヤ１０を緩めて凹凸部の間隔を広げることにより図８（b）に示すようにネックレス状にすることができるので邪魔にならないうえ、使用しないときの収納スペースをコンパクトにすることができる。
【００２３】
前述の凹凸を有する連結部材は、図７（b）に示すような球形部材と該球形部材の凸部に勘合する凹部を有する受け部材と、この球形部材および受け部材を貫通するワイヤによって構成することができるが、図７（c）に示すように球形部材の一部を切り欠いて凹部を形成し、この凹部に隣の球形部材の凸部を勘合させてもよい。
＜第４の実施形態＞
図９および図１０は、本発明のカメラ固定装置における第４の実施形態を例示する図であり、図９は首掛けバーおよび固定バー、図１０は使用状態を示す図である。
【００２４】
図９に示すように、本実施形態における首掛けバーおよび固定バーは、それぞれ一対の板バネ１１からなるので、ジョイント部７を引っ張って板バネ１１を開くことにより図９（a）に示すように首掛けバーおよび固定バーを環状に開くことができるうえ、ジョイント部７を強く手で握って板バネ１１を閉じることにより、図９（b）に示すように首掛けバーおよび固定バーを棒状にすることができるので、図１０に示すように棒上に装着されたカメラを用いて高い位置からの撮影ができる。
【００２５】
なお、本実施形態に用いる板バネ１１は、ラバー等で覆うことにより使用者の怪我を防止することができる。
＜第１〜第4共通の実施形態＞
図１１および図１２は、本発明のカメラ固定装置における第１〜第4共通の実施形態を例示する図であり、図１１は幅調整部、図１２はベルトの使用状態を例示する図である。
【００２６】
図１１に示すように、首掛けバーの上部に幅調節部１２を設けて、首掛けバーの湾曲部中央に太さの違うパイプ同士を挿入させた部分を形成し、この部分をスライドさせて首掛けバーの幅を調節しネジで固定することにより、頭の大きい人や小さい人に合わせて首掛けバーの幅を調節することができる。
【００２７】
なお、固定バーは両端部に幅調節部を設けることにより、カメラが片側に偏らないようにすることができる。
【００２８】
また、図１２に示すように、首掛けバーのジョイント部近くにベルト１３を設けることにより、固定装置を使用者の体に密着させることができるので、使用者が激しく動いてもカメラがブレないで撮影できる。
【実施例】
【００２９】
首掛けバーとして５ｍｍφの鉄棒、固定バーとして３ｍｍφの鉄棒を用い、首への負担を軽減する為に首掛けバーを被うスポンジカバーを設け、使用者の怪我防止の為に固定バーを被う蛇腹プラスチックカバーを設けて使用したところ、手放し状態でビデオカメラによる撮影を長時間行うことができ、本発明の効果が確認された。
【産業上の利用可能性】
【００３０】
本発明のカメラ固定装置は、ビデオカメラに用いる場合に最も効果的であるが、スチルカメラや写メール等に用いることもでき、将来に渡って適用範囲が拡大することが期待される。
【図面の簡単な説明】
【００３１】
【図１】本発明のカメラ固定装置における第１の実施形態を例示する正面図である。
【図２】本発明のカメラ固定装置における第１の実施形態を例示する側面図である。
【図３】本発明のカメラ固定装置における第１の実施形態に用いるジョイント部の詳細を例示する図である。
【図４】本発明のカメラ固定装置における第１の実施形態の使用状態を例示する図である。
【図５】本発明のカメラ固定装置における第１の実施形態の使用状態を例示する図である。
【図６】本発明のカメラ固定装置における第２の実施形態に用いる固定台座の詳細を例示する図である。
【図７】本発明のカメラ固定装置における第３の実施形態を例示する図である。
【図８】本発明のカメラ固定装置における第３の実施形態の使用状態および不使用状態を例示する図である。
【図９】本発明のカメラ固定装置における第４の実施形態を例示する図である。
【図１０】本発明のカメラ固定装置における第４の実施形態の使用状態を例示する図である。
【図１１】本発明のカメラ固定装置に用いる幅調整部の詳細を例示する図である。
【図１２】本発明のカメラ固定装置に用いるベルトの使用状態を例示する図である。
【符号の説明】
【００３２】
１  首掛けバー
２  スポンジカバー
３  固定バー
４  蛇腹プラスチックカバー
５  固定台座
６  カメラ固定ボルト
７  ジョイント部
８  連結部材
９  ワイヤ締め付け部
１０  ワイヤ
１１  板バネ
１２  幅調節部
１３  ベルト
【図１】
2008122436.tif 000003
【図２】
2008122436.tif 000004
【図３】
2008122436.tif 000005
【図４】
2008122436.tif 000006
【図５】
2008122436.tif 000007
【図６】
2008122436.tif 000008
【図７】
2008122436.tif 000009
【図８】
2008122436.tif 000010
【図９】
2008122436.tif 000011
【図１０】
2008122436.tif 000012
【図１１】
2008122436.tif 000013
【図１２】
2008122436.tif 000014